(57)【要約】【課題】簡単な手段で乳房の最適な圧迫が可能であると同時に、圧迫時の痛みを減少させることができるようにする。【解決手段】当該装置に、圧迫プレート（５）を振動させることのできる手段（９）が設けられているようにした。【選択図】　　　図２
2004016817.tif 000002
【特許請求の範囲】
【請求項１】
乳腺撮影検査のためのレントゲン診断装置であって、レントゲン管（３）用のアーム（２）と、載せ台（４）と、該載せ台（４）とレントゲン管（３）との間に配置された圧迫プレート（５）とが設けられており、該圧迫プレート（５）がアーム（２）に結合されており且つ該アームに沿ってシフト可能であり、しかも、アーム（２）が結合部材（７）を介して架台に回転可能に結合されている形式のものにおいて、
当該装置に、圧迫プレート（５）を振動させることのできる手段（９）が設けられていることを特徴とする、乳腺撮影検査のためのレントゲン診断装置。
【請求項２】
前記手段（９）が、圧迫プレート（５）を側方に振動させるように形成されている、請求項１記載のレントゲン診断装置。
【請求項３】
圧迫プレート（５）が垂直方向で振動する、請求項１記載のレントゲン診断装置。
【請求項４】
前記手段（９）が、圧迫プレート（５）を側方及び垂直方向に振動させるように形成されている、請求項１記載のレントゲン診断装置。
【請求項５】
圧迫に関連して、圧迫プレートがその圧迫位置に位置するまで圧迫プレートを振動させるように作動する手段（９）が形成されている、請求項１から４までのいずれか１項記載のレントゲン診断装置。
【発明の詳細な説明】
【０００１】
【発明の属する技術分野】
本発明は、乳腺撮影検査のためのレントゲン診断装置であって、レントゲン管用のアームと、載せ台と、該載せ台とレントゲン管との間に配置された圧迫プレートとが設けられており、該圧迫プレートがアームに結合されており且つ該アームに沿ってシフト可能であり、しかも、アームが結合部材を介して架台に回転可能に結合されている形式のものに関する。
【０００２】
【従来の技術】
このような形式のレントゲン診断装置は、ヨーロッパ特許第０３７００８９号明細書に基づき公知である。患者の乳房のレントゲン検査では、できるだけ低いレントゲン線量において、できるだけ良好な画像品質を得ることを目標としている。このためには、検査しようとする乳房が、載せ台と圧迫プレートとの間に締め込まれることによって圧迫される。乳房の厚みが比較的小さくなることにより、レントゲン線量も減少させることができる。乳房に対する圧迫プレートの力は１０〜２０Ｋｇのオーダであり、これにより、この検査は患者にとって痛みと不快感とに結びついている。乳房の圧迫時に生じる痛みの一部は、乳房がしばしば載せ台及び／又は圧迫プレートに「張り付き」、これにより、乳房に軽くしわが生ぜしめられるということから来るものである。乳房の張付きは、乳房が載せ台と圧迫プレートとの間で均等に広げられて位置するということも妨げ、このことは、乳房の厚みの最適な縮小が得られるということも妨げる。
【０００３】
【特許文献１】
ヨーロッパ特許第０３７００８９号明細書
【特許文献２】
米国特許第６３７５６３０号明細書
【０００４】
【発明が解決しようとする課題】
本発明の課題は、冒頭で述べた形式の乳腺撮影検査のためのレントゲン診断装置を改良して、簡単な手段で乳房の最適な圧迫が可能であると同時に、圧迫時の痛みを減少させることができるようにすることである。
【０００５】
【課題を解決するための手段】
この課題を解決するために本発明では、当該装置に、圧迫プレートを振動させることのできる手段が設けられているようにした。
【０００６】
【発明の効果】
本発明による装置の有利な構成では、圧迫に関連して、圧迫プレートがその圧迫位置に位置するまで圧迫プレートを振動させるように作動する手段が形成されているということが提案される。前記圧迫位置とは、乳房の撮影が行われるべき位置に圧迫プレートが到達したということを指している。圧迫プレートは、有利には乳房に到達してから振動し始める。この振動に基づき、乳房は載せ台及び／又は圧迫プレートに張り付かないので、引き続く圧迫において、乳房は圧迫プレートにより自動的に載せ台においてできるだけ一様に広げられて位置するように影響を及ぼされる。このことは、乳房の皮膚にしわが生ぜしめられるということも防止する。つまり、圧迫プレートの振動は乳房の厚みに影響を及ぼすので、乳房は圧迫位置において最も薄く、このことは、レントゲン線量を低く保持することができるという利点を有している。振動は、圧迫プレートが圧迫位置に到達すると終了する。
【０００７】
乳房の圧迫と同時に圧迫プレートを振動させることにより、別の利点が得られる。つまり、この振動は乳房を刺激することができ、このことは必然的に、一般に生じる前記の不快感及びとりわけ痛みを著しく軽減することができる。
【０００８】
本発明では、圧迫プレートを側方又は垂直方向に振動させる手段が形成されていてよい。
【０００９】
本発明による装置の特に有利な構成では、前記手段が圧迫プレートを側方及び垂直方向で振動させるように形成されているということが提案される。
【００１０】
前記手段は公知の形式のモータ駆動されるバイブレータであってよい。このようなコンベンショナルな形式のバイブレータは、特に米国特許第６３７５６３０号明細書に記載されている。
【００１１】
【発明の実施の形態】
以下に、本発明の実施の形態を図面につき詳しく説明する。
【００１２】
図１には、レントゲン管３用のアーム２と載せ台４とを支持する架台１を備えた乳腺撮影検査のためのレントゲン診断装置が概略的に示されている。レントゲン管３と載せ台４との間には圧迫プレート５が配置されており、この圧迫プレート５はコンソール６と軸１０とを介してアーム２に結合されており且つこのアーム２に沿ってシフト可能である。アーム２は水平方向の軸７を介して架台１に回転可能に結合されている。
【００１３】
図１では、圧迫プレート５は一方では停止位置で示されており且つ他方では患者（図示せず）の乳房８が載せ台４と当該圧迫プレート５との間で圧迫されている圧迫位置で示されている。圧迫プレート５のこの圧迫位置は、その輪郭を一点鎖線で表すことにより示唆されている。
【００１４】
圧迫プレート５がその圧迫位置にシフトされることに関連して、圧迫プレート５は例えばアーム２に取り付けられた少なくとも１つのモータ駆動されるバイブレータによって振動し始める。この振動は、有利には圧迫プレート５が乳房８に到達して、その最適な圧迫位置を得るまで行われる。これにより、乳房８が載せ台４又は圧迫プレート５に張り付くことが防止され、しかも、乳房８は有利には載せ台４で広げられるので、圧迫プレート５がその圧迫位置に到達すると、最適な薄い乳房が生ぜしめられている。既に述べたように、最適な薄い乳房は最適な低いレントゲン線量を可能にする。
【００１５】
図２には、レントゲン管３、載せ台４及び圧迫プレート５を備えたアーム２の斜視図が示されている。この図面では、軸１０延いては圧迫プレート５のコンソール６が、アーム２に設けられたスリット１１に沿ってシフト可能であるということが示されている。
【００１６】
モータ駆動されるバイブレータ９は、有利には圧迫プレート５が側方に振動すると同時に垂直方向で振動するように形成されていてよい。
【００１７】
前記バイブレータ９は、圧迫プレートが側方又は垂直方向のいずれかに振動するように形成されていてもよい。
【００１８】
本発明の枠内で、圧迫プレート５が前記停止位置を離れると、当該圧迫プレート５は圧迫と同時にバイブレータ９によって振動を開始してよい。この場合、振動は圧迫プレート５が最適な圧迫位置に到達するまで連続して行われる。
【図面の簡単な説明】
【図１】本発明によるレントゲン診断装置の側面図である。
【図２】図１に示したレントゲン診断装置の一部の斜視図である。
【符号の説明】
１　架台、　２　アーム、　３　レントゲン管、　４　載せ台、　５　圧迫プレート、　６　コンソール、　７　軸、　８　乳房、　９　バイブレータ、　１０　軸、　１１　スリット
【図１】
2004016817.tif 000003
【図２】
2004016817.tif 000004